(57)【要約】      （修正有）【課題】風の力に対する安定性をかなり向上させるコンベア設備の提供。【解決手段】物品を運搬するための設備は、コンベヤベルトの移動方向に対して横向きに支承された支持バーを備えるコンベヤベルトを有する。いずれの場合にも、２本の支持ケーブルによって、垂直方向に離間した２本の支持トラックが形成される。支持バーの側方端部に配置された回転ローラは、２対以上の支持ケーブルの上で移動可能である。支持ケーブルは、離間した保持フレームにより相互に接続され、回転ローラのための支持ケーブルは、保持フレームに固定されている。回転ローラのための上部支持ケーブル対より上には、保持フレームが同様に固定された少なくとも１本の追加支持ケーブルが設けられている。【選択図】図１
2004256301.tif 000002
【特許請求の範囲】
【請求項１】
移送方向に移動するように配置されたコンベヤベルトと、
前記移送方向に対して横向きに前記コンベヤベルトに固定された複数の支持バーと、
前記支持バーの側方端部に支持された回転ローラと、
前記回転ローラを支持するための上部対と下部対とを含む一対の支持ケーブルが各々に形成された、垂直方向に離間する２本の支持トラックと、
前記支持ケーブルに固定された、離間した保持フレームと、
前記上部支持ケーブル対よりも上で前記保持フレームに固定された、少なくとも１本の追加支持ケーブルと、
を含む、物品を運搬するための搬送設備。
【請求項２】
前記少なくとも１本の追加支持ケーブルが、前記回転ローラのための前記上部支持ケーブル対より上にある追加支持ケーブル対の１本である、請求項１に記載の搬送設備。
【請求項３】
前記追加支持ケーブル対の前記ケーブルが、前記回転ローラのための前記上部支持ケーブル対の前記支持ケーブルの横方向外側に配置される、請求項２に記載の搬送設備。
【請求項４】
前記回転ローラのための前記支持ケーブルに、いずれの場合にも下側から前記保持フレームを固定するような構造を持つクランプが、前記保持フレームに形成される、請求項１に記載の搬送設備。
【請求項５】
さらに、前記コンベヤベルトの上区分より上のカバーを含む、請求項１に記載の搬送設備。
【請求項６】
前記カバーが前記保持フレームの中に配置される、請求項５に記載の搬送設備。
【請求項７】
前記コンベヤベルトに波形エッジが形成され、該コンベヤベルトの前記上区分の該波形エッジより上に配置されて該波形エッジの押え手段として機能する側方範囲を前記カバーが有する、請求項６に記載の搬送設備。
【請求項８】
前記回転ローラのための前記下部支持ケーブル対より下において、前記保持フレームが連続的である、請求項１に記載の搬送設備。
【請求項９】
前記回転ローラのための前記下部支持ケーブル対より下において、前記保持フレームが非連続的であり、さらに、前記コンベヤベルトの下側に固定されるとともに該コンベヤベルトと一緒に移動するような構造を持つアセンブリ枠組を含む、請求項１に記載の空中ケーブルシステム。
【発明の詳細な説明】
【技術分野】
【０００１】
本発明は、コンベヤベルトの移送方向に対して横向きの配向を持つ固定支持バーが設けられたコンベヤベルトを有する、物品を運搬するための搬送システムに関連する。いずれの場合にも、２本の支持ケーブルにより、垂直方向に離間した２本の支持トラックが形成される。支持バーの側方端部にある回転ローラは、支持ケーブルの上を移動する。
【背景技術】
【０００２】
上下に配置された２対の支持ケーブルと、支持ケーブルの上を移動することのできるコンベヤベルトとを有する搬送設備は、先行技術において周知である。これによってコンベヤベルトには、移動方向に対して横向きの配向を持つ支持バーが形成され、支持バーの自由端部には、支持ケーブルの上を転がる回転ローラが取り付けられている。このような搬送設備の耐風安定性を向上させるため、支持ケーブルをフレームによって相互に接続させることがさらに提案されている。これら保持フレームの中に連続コンベヤベルトが位置し、そのうち上区分は、２本の支持ケーブルによる上部対に割り当てられ、底区分は、２本の支持ケーブルによる下部対に割り当てられる。
【０００３】
さらに、取出しステーションの下流においてコンベヤベルトの載置側が上向きとなり、載置ステーションのさらに上流において、もう一度下向きとなる転回構造を２箇所の端部範囲に備える搬送設備を設計することが、提案されている。これにより、取出しステーションの下流でコンベヤベルトに残っている物品が、コンベヤベルトの底区分から落下することを防止し、その理由から、環境保護および安全を目的として、ハウジングまたはカバーなどの追加手段を取らなければならない。
【０００４】
このような搬送設備の場合には、搬送可能な物品は上部支持ケーブル対より上に位置しているので、２対の支持ケーブルは保持フレームにより相互に接続されているが、風の力に対して低レベルの安定性しか支持ケーブルは備えず、そのためにスパンが広い場合には特に、搬送設備全体が転倒する危険があり、作業に対する深刻な妨害を伴う。
【発明の開示】
【発明が解決しようとする課題】
【０００５】
したがって本発明の目的は、従来周知の装置とこの一般的なタイプの方法の、上述した短所を克服するとともに、風の力に対する安定性をかなり向上させるコンベヤ設備を提供することである。
【課題を解決するための手段】
【０００６】
上記および他の目的を考慮して、本発明によれば、
移送方向に移動するように配置されたコンベヤベルトと、
移送方向に対して横向きにコンベヤベルトに固定された複数の支持バーと、
支持バーの側方端部に支持された回転ローラと、
回転ローラを支持するための上部対と下部対とを含む一対の支持ケーブルが各々に形成された、垂直方向に離間した２本の支持トラックと、
支持ケーブルに固定された、離間した保持フレームと、
上部支持ケーブル対より上で保持フレームに固定された少なくとも１本の追加支持ケーブルと、
を含む、物品を運搬するための搬送設備が提供される。
【０００７】
言い換えると、回転ローラのための支持ケーブルが固定された離間保持フレームにより、支持ケーブルが相互に接続されることと、保持フレームが同様に固定された少なくとも１本の追加支持ケーブルが、回転ローラのための上部支持ケーブル対より上に設けられることで、目的が達成される。
【０００８】
追加支持ケーブル対は、回転ローラのための上部支持ケーブル対より上に設けられることが望ましい。さらに、回転ローラのための上部支持ケーブル対より上に位置する支持ケーブルは、回転ローラのための上部支持ケーブル対よりも横方向外側に配置されることが望ましい。これら二つの手段により、このような搬送設備の耐風安定性が著しく向上する。
【０００９】
さらに好適な実施例によれば、保持フレームにはクランプが形成され、これにより、いずれの場合にも下側から、回転ローラのための支持ケーブルに保持フレームが固定される。
【００１０】
コンベヤベルトの上区分より上にはカバーが設けられることが望ましく、詳しくは、保持フレーム内にこのカバーが位置する。このようなカバーは、一方では搬送可能な物品を保護し、他方では、搬送可能な物品が風の力によって飛ばされることを防止する。そのうえ、コンベヤベルトの上区分の波形エッジより上に位置するカバーの側方範囲が、これら波形エッジのための押え手段として機能することが可能である。
【００１１】
さらなる実施例によれば、保持フレームは連続的である。これに代わるものとして、回転ローラのための底部支持ケーブル対より下では保持フレームが連続せずに、アセンブリ枠組が設けられることが可能であり、アセンブリ枠組がコンベヤベルトの下側に固定されて、コンベヤベルトと一緒に移動することが可能である。
【００１２】
本発明の特徴であると考えられる他の特徴は、添付クレームに記載される。
【００１３】
物品を運搬するための搬送設備として具体化されたものとして、本発明をここに図示および説明するが、それにもかかわらず、本発明の趣旨を逸脱することなく、クレームの均等物の範囲内において様々な変形および構造的変更を行うことができるので、図示された詳細に限定されることは意図していない。
【００１４】
しかし、本発明の構造および動作方法は、本発明の付加的な目的および長所とともに、特定実施例についての以下の説明を添付図面と関連させて読むことにより、最もよく理解できるだろう。
【発明を実施するための最良の形態】
【００１５】
さて、図面の図を詳しく、特に最初に図１と２と２Ａを参照すると、離間した保持フレーム２が支持アイレット２１により固定された第１支持ケーブル対１を備える、本発明による搬送設備が図示されている。打抜き加工された金属薄板部品で形成されるこれら保持フレーム２の中に位置しているのは、クランプ５によって保持フレーム２に接続された２対の追加支持ケーブル３，４である。保持フレーム２は、支持ケーブル１，３，４のみに固定されている。また、保持フレーム２の中に位置しているのは、支持ローラ７によって支持ケーブル３，４の上を、つまり所与の移送方向又は移動方向に移動できる連続コンベヤベルトつまり搬送ベルト６である。この場合、コンベヤベルト６の上区分６ａは、回転ローラ７により上部支持ケーブル対３の上を、コンベヤベルト６の底区分６ｂは底部支持ケーブル対４の上を移動できる。コンベヤベルト６の搬送方向に見て取出しステーションの下流で、コンベヤベルト６の底区分６ｂには、転回機構が割り当てられ、転回機構は、コンベヤベルトの載置面が上向きとなるように、コンベヤベルト６の底区分６ｂを転回させる。載置ステーションの上流に設けられているのは、底区分６ｂを再び戻すための別の転回機構である。これにより、取出しステーションの下流側でコンベヤベルト６に残っている搬送可能な物品がこのコンベヤベルトから落下することが決してない。コンベヤベルト６は、波形エッジ６１を備える設計である。
【００１６】
また、保持フレーム２内に位置しているのは、搬送設備の全長にわたって延在する半円形断面のカバー８である。このカバー８は、一方では、コンベヤベルト６の上区分６ａに位置する搬送可能な物品６０を保護し、また、搬送可能な物品が風により飛ばされることを防止する。さらにこのカバー８の側方範囲は、波形エッジ６１のための押え手段として機能する。底区分６ｂに位置する波形エッジ６１には、同様に押え手段として機能するＵ字形レール６２が割り当てられている。
【００１７】
さらに、図２から分かるように、各保持フレーム２は、フランジによって相互にしっかりと固定された２枚のプレート２ａ，２ｂを含む。また図２からは、コンベヤベルトの移動方向に対して横向きの配向を持ち、自由端部に回転ローラ７が取り付けられたバー６３を備える設計をコンベヤベルト６が持つことも分かるだろう。波形エッジ６１は、各バー６３の間に位置する。
【００１８】
本出願による搬送機構の変形例を、図３と３Ａを参照して説明する。この場合に保持フレーム２は、下側が閉じているのではなく、切欠きを含み、その結果、組立目的で機能するプラットフォーム９を２本の連続バー６３に固定することが可能である。
【００１９】
クランプ５の設計と機能を、図４と４Ａを参照して、以下に説明する。クランプ５は２個のクランプつかみ５１を含み、そのうち上部５１ａが支持ケーブル３，４と当接する。しかしローラ７が支持ケーブル３，４の上を転がるので、クランプつかみ５１は、支持ケーブル３、４の側面のみと当接する。クランプつかみ５１の上部５１ａの下において、支持ケーブル３，４の方向に走る軸を中心として相互に若干旋回できるように、クランプつかみ５１は、ボルト５２によって接続されている。
【００２０】
底部５１ｂにおいてクランプつかみ５１は、下側に円錐形の曲面または傾斜面を持つ切欠き５３を含む。これらの切欠き５３は、球面を持つ設計であり、保持フレーム２に接続された支持ブラケット５５が固定された支持体５４を含む。加えて、支持ブラケット５５とクランプつかみ５１との間にはカップばねが配置され、カップばねは、クランプつかみ５１の上部５１ａを支持ケーブル３，４へ押圧する。これらのカップばね５６により、支持ケーブル３，４の直径の変化に対応できる。
【００２１】
支持体５４が、支持ブラケット５５を介して保持フレーム２による引張力を受けるとすぐに、クランプつかみ５１の底部５１ｂが相互に拡開して、その結果、上部つかみ５１ａにより支持ケーブル３，４が受けるクランプ力が増加する。これによって、クランプ５が保持フレーム２により大きな負荷を受ける場合には、クランプ５が支持ケーブル３，４から外れることが防止される。
【産業上の利用可能性】
【００２２】
このような設備の重心は、回転ローラのための支持ケーブルより上に設けられた少なくとも１本の追加支持ケーブルより下に位置しているので、この搬送設備は非常に高いレベルの位置的安定性を備え、その結果、風の強度が強い場合にも転倒する危険はない。そのうえ、一方では搬送可能な物品が連続カバーによって保護され、他方では、搬送可能な物品が風の力により飛ばされることが防止される。
【図面の簡単な説明】
【００２３】
【図１】本発明による搬送設備を示す軸方向部分的概略図である。
【図２】図１による搬送設備の端面図である。
【図２Ａ】図２の設備の側面図である。
【図３】本発明による搬送設備の代替実施例を示す端面図である。
【図３Ａ】図３の設備の側面図である。
【図４】本発明によるアセンブリの固定構造を示す部分的側面図である。
【図４Ａ】図４のＩＶａ‐ＩＶａ線における断面図である。
【符号の説明】
【００２４】
１  支持ケーブル
２  保持フレーム
３  支持ケーブル
４  支持ケーブル
５  クランプ
６  コンベヤベルト
７  回転ローラ
８  カバー
９  プラットフォーム
６１  波形エッジ
６３  支持バー
【図１】
2004256301.tif 000003
【図２】
2004256301.tif 000004
【図２Ａ】
2004256301.tif 000005
【図３】
2004256301.tif 000006
【図３Ａ】
2004256301.tif 000007
【図４】
2004256301.tif 000008
【図４Ａ】
2004256301.tif 000009